(57)【要約】【課題】意図的に過放電保護の設定及び過放電保護状態の解除を行うことができる二次電池保護回路、電池パック及び電子機器を提供する。【解決手段】電池パック１は、二次電池４に直列に電気的に接続されたＭＯＳＦＥＴ７と、外部から電気的に接続可能な第１の端子２と、を備え、第１の端子２に、第１の電圧値の電圧が加えられた場合、ＭＯＳＦＥＴ７をオフし、第１の端子２に、所定期間に第２の電圧値の電圧が加えられた場合、ＭＯＳＦＥＴ７をオンする。これにより、意図的に過放電保護の設定及び過放電保護状態の解除を行うことが可能となる。【選択図】図１
2013247741.tif 000002
【特許請求の範囲】
【請求項１】
二次電池に電気的に接続可能であり、前記二次電池に係る充電電流及び／又は放電電流が流れる二次電池保護回路であって、
前記二次電池に直列に電気的に接続された第１のスイッチと、
外部から電気的に接続可能な所定の端子と、を備え、
前記所定の端子に、第１の電圧値の電圧が加えられた場合、前記第１のスイッチを遮断し、
前記所定の端子に、所定期間に第２の電圧値の電圧が加えられた場合、前記第１のスイッチを導通させる、
二次電池保護回路。
【請求項２】
請求項１に記載の二次電池保護回路であって、
前記所定の端子に、所定期間に第２の電圧値の電圧が加えられた場合、前記第１のスイッチを導通させ、
前記所定期間の後、前記所定の端子に第３の電圧値の電圧が加えられた場合、前記第１のスイッチを導通させる、
二次電池保護回路。
【請求項３】
請求項２に記載の二次電池保護回路であって、
前記第３の電圧値は、前記第１の電圧値と同一である、
二次電池保護回路。
【請求項４】
請求項１から請求項３のいずれか１項に記載の二次電池保護回路であって、
前記第１の電圧値は、Ｌｏｗレベルであって、
前記第２の電圧値は、Ｈｉｇｈレベルである、
二次電池保護回路。
【請求項５】
請求項１から請求項３のいずれか１項に記載の二次電池保護回路であって、
前記第１の電圧値は、Ｈｉｇｈレベルであって、
前記第２の電圧値は、Ｌｏｗレベルである、
二次電池保護回路。
【請求項６】
請求項１から請求項５のいずれか１項に記載の二次電池保護回路と、
前記二次電池保護回路に電気的に接続された二次電池と、を有し、
前記所定の端子を、第１の端子とし、
前記二次電池の、前記二次電池保護回路側と反対側に電気的に接続された第２の端子と、
前記二次電池保護回路の、前記二次電池側と反対側に電気的に接続された第３の端子と、を備えた、
電池パック。
【請求項７】
請求項６に記載の電池パックであって、
筺体を備え、
前記第１、第２、第３の端子は、前記筺体の外側の面に配置された、
電池パック。
【請求項８】
少なくとも、
請求項１から請求項５のいずれか１項に記載の二次電池保護回路と、
前記二次電池保護回路に電気的に接続された二次電池と、
外部電源を接続可能な接続部と、
を有し、
前記外部電源によって、前記二次電池を充電可能な電子機器であって、
前記接続部に前記外部電源が接続された場合、前記所定の端子に前記所定期間、前記第２の電圧値の電圧を加える、
電子機器。
【請求項９】
少なくとも、
請求項１から請求項５のいずれか１項に記載の二次電池保護回路と、
前記二次電池保護回路に電気的に接続された二次電池と、
第２のスイッチと、
を有し、
前記第２のスイッチが操作された場合、前記所定の端子に前記所定期間、前記第２の電圧値の電圧を加える、
電子機器。
【請求項１０】
請求項９に記載の電子機器であって、
前記第２のスイッチは、電磁スイッチ又はメカスイッチである、
電子機器。
【請求項１１】
請求項８から請求項１０のいずれか１項に記載の電子機器であって、
前記二次電池に蓄積された電力を基に動作する、
電子機器。
【発明の詳細な説明】
【技術分野】
【０００１】
本発明は、二次電池が過放電にならないように保護する二次電池保護回路及び該二次電池保護回路を搭載した電池パック及び電子機器に関する。
【背景技術】
【０００２】
最近のスマートフォンは、小型・薄型化を実現するめに電池パックを完全に内蔵するようにしている。なお、述べるまでも無いが、電池パックにはリチウムイオン電池やニカド電池等の充電可能な二次電池が内蔵されている。
【０００３】
電池パックの過放電を防止する回路として、例えば特許文献１，２に記載されているものが知られている。特許文献１に記載された“保護監視回路”は、二次電池の過放電を検出した場合、予め設定された時間が経過した後、又は、二次電池監視回路から電源電圧の供給を遮断するための制御信号が出力された後、二次電池監視回路に対する電源電圧の供給を遮断するようにしている。
【０００４】
特許文献２に記載された“過放電防止回路”は、充電回路が接続された場合、充電回路からの電源で三端子レギュレータが定電圧を出力し、マイクロコンピュータを動作させる。また、三端子レギュレータが定電圧を出力したときの二次電池の電圧値が所定値以上であれば、二次電池から三端子レギュレータに電源の供給を可能にしている。
【先行技術文献】
【特許文献】
【０００５】
【特許文献１】特開２０１０−１８７５３１号公報
【特許文献２】特開２００２−１８６１８９号公報
【発明の概要】
【発明が解決しようとする課題】
【０００６】
ところで、機器に内蔵された電池パックは、当該機器の製造後より放電状態となるため、当該機器が数ヶ月間在庫状態となった場合、店頭販売時に充電が必要になることがある。この原因は、機器の消費電流により電池パックの二次電池が消費されるため、電池パック単体よりも短時間で過放電保護が働いてしまうからである。なお、過放電状態をそのまま放置しておくと、電池としての機能が失われる深放電状態になることがあり、このような状態になると、充電不可となって、機器を開封して電池を交換しなければ販売できなくなる。
【０００７】
前述した特許文献１に記載された“保護監視回路”は、二次電池の過放電を検出した場合に、電源電圧の供給を遮断するようにしているため、店頭販売時に充電が必要になることがある。
前述した特許文献２に記載の“過放電防止回路”は、充電回路が接続されて、該充電回路から電源電圧が供給されるまで、二次電池の放電を制御して過放電を防止しているが、充電回路から電源電圧が供給されなければ、過放電保護を解除できない。即ち、意図的に過放電保護及び解除を設定することができない。
【０００８】
本発明は、係る事情に鑑みてなされたものであり、意図的に過放電保護の設定及び過放電保護状態の解除を行うことができる二次電池保護回路、電池パック及び電子機器を提供することを目的とする。
【課題を解決するための手段】
【０００９】
本発明の二次電池保護回路は、二次電池に電気的に接続可能であり、前記二次電池に係る充電電流及び／又は放電電流が流れる二次電池保護回路であって、前記二次電池に直列に電気的に接続された第１のスイッチと、外部から電気的に接続可能な所定の端子と、を備え、前記所定の端子に、第１の電圧値の電圧が加えられた場合、前記第１のスイッチを遮断し、前記所定の端子に、所定期間に第２の電圧値の電圧が加えられた場合、前記第１のスイッチを導通させる。
【００１０】
上記構成によれば、所定の端子に、第１の電圧値の電圧を加えると、第１のスイッチが遮断状態となり、所定の端子に、所定期間に第２の電圧値の電圧を加えると、第１のスイッチが導通状態となり、第１のスイッチを遮断状態とすることで二次電池の過放電を防止でき、第１のスイッチを導通状態とすることで過放電保護状態を解除することができる。即ち、意図的に過放電保護の設定及び過放電保護状態の解除を行うことができる。
【００１１】
上記構成において、前記所定の端子に、所定期間に第２の電圧値の電圧が加えられた場合、前記第１のスイッチを導通させ、前記所定期間の後、前記所定の端子に第３の電圧値の電圧が加えられた場合、前記第１のスイッチを導通させる。
【００１２】
上記構成によれば、第１のスイッチは、第２の電圧値の電圧が加わることで導通した後、第３の電圧値の電圧が加わった後も導通し続ける。
【００１３】
上記構成において、前記第３の電圧値は、前記第１の電圧値と同一である。
【００１４】
上記構成によれば、第１のスイッチは、第２の電圧値の電圧が加わることで導通した後、第１の電圧値と同一の第３の電圧値の電圧が加わった後も導通し続ける。
【００１５】
上記構成において、前記第１の電圧値は、Ｌｏｗレベルであって、前記第２の電圧値は、Ｈｉｇｈレベルである。
【００１６】
上記構成によれば、第１のスイッチは、Ｌｏｗレベルである第１の電圧値の電圧が加わることで遮断状態となり、Ｈｉｇｈレベルである第２の電圧値の電圧が加わることで導通状態となる。
【００１７】
上記構成において、前記第１の電圧値は、Ｈｉｇｈレベルであって、前記第２の電圧値は、Ｌｏｗレベルである。
【００１８】
上記構成によれば、第１のスイッチは、Ｈｉｇｈレベルである第１の電圧値の電圧が加わることで遮断状態となり、Ｌｏｗレベルである第２の電圧値の電圧が加わることで導通状態となる。
【００１９】
本発明の電池パックは、前記いずれかの二次電池保護回路と、前記二次電池保護回路に電気的に接続された二次電池と、を有し、前記所定の端子を、第１の端子とし、前記二次電池の、前記二次電池保護回路側と反対側に電気的に接続された第２の端子と、前記二次電池保護回路の、前記二次電池側と反対側に電気的に接続された第３の端子と、を備えた。
【００２０】
上記構成によれば、前記いずれかの二次電池保護回路を備えるので、意図的に過放電保護の設定及び過放電保護状態の解除を行うことが可能な電池パックを提供できる。
【００２１】
上記構成において、筺体を備え、前記第１、第２、第３の端子は、前記筺体の外側の面に配置された。
【００２２】
上記構成によれば、第１、第２、第３の端子を、筺体の外側の面に配置したので、外部の電子機器との接続を容易に行うことができる。
【００２３】
本発明の電子機器は、少なくとも、前記いずれかの二次電池保護回路と、前記二次電池保護回路に電気的に接続された二次電池と、外部電源を接続可能な接続部と、を有し、前記外部電源によって、前記二次電池を充電可能な電子機器であって、前記接続部に前記外部電源が接続された場合、前記所定の端子に前記所定期間、前記第２の電圧値の電圧を加える。
【００２４】
上記構成によれば、接続部に外部電源が接続された場合、所定の端子に所定期間、第２の電圧値の電圧を加えると、第１のスイッチが導通状態となり、過放電保護状態を解除することができる。即ち、意図的に過放電保護の設定及び過放電保護状態の解除を行うことができる。
【００２５】
本発明の電子機器は、少なくとも、前記いずれかの二次電池保護回路と、前記二次電池保護回路に電気的に接続された二次電池と、第２のスイッチと、を有し、前記第２のスイッチが操作された場合、前記所定の端子に前記所定期間、前記第２の電圧値の電圧を加える。
【００２６】
上記構成によれば、第２のスイッチが操作された場合、所定の端子に所定期間、第２の電圧値の電圧を加えると、二次電池保護回路の第１のスイッチが導通状態となり、過放電保護状態を解除することができる。即ち、意図的に過放電保護の設定及び過放電保護状態の解除を行うことができる。
【００２７】
上記構成において、前記第２のスイッチは、電磁スイッチ又はメカスイッチである。
【００２８】
上記構成において、前記二次電池に蓄積された電力を基に動作する。
【発明の効果】
【００２９】
本発明によれば、意図的に過放電保護の設定及び過放電保護状態の解除を行うことができるので、工場出荷時には過放電保護の設定ができ、販売時には過放電保護状態を解除することができる。
【図面の簡単な説明】
【００３０】
【図１】本発明の実施の形態１に係る電池パックの概略構成を示す図
【図２】図１の電池パックの出荷時の処理の概略を示すフローチャート
【図３】図１の電池パックの販売時の処理の概略を示すフローチャート
【図４】本発明の実施の形態２に係る電子機器の概略構成を示す図
【図５】図４の電子機器の過放電保護解除時の各部の動作を示すタイムチャート
【図６】図４の電子機器の販売時の処理の概略を示すフローチャート
【図７】本発明の実施の形態３に係る電子機器の概略構成を示す図
【図８】図７の電子機器の販売時の処理の概略を示すフローチャート
【図９】本発明の実施の形態４に係る電子機器の概略構成を示す図
【図１０】図９の電子機器の販売時の処理の概略を示すフローチャート
【発明を実施するための形態】
【００３１】
以下、本発明を実施するための好適な実施の形態について、図面を参照して詳細に説明する。
【００３２】
（実施の形態１）
図１は、本発明の実施の形態１に係る電池パックの概略構成を示す図である。同図において、本実施の形態に係る電池パック１は、第１の端子（制御端子）２と、切替え回路３と、二次電池（リチウムイオン電池やニカド電池等）４と、抵抗５と、ＰＴＣ（Positive Temperature Coefficient）サーミスタ６と、ＮチャネルのＭＯＳＦＥＴ（Metal Oxide Semiconductor Field Effect Transistor）（以下、単に“ＦＥＴ”と言う）７，８と、保護回路９と、第２の端子（＋端子）１０と、第３の端子（−端子）１１とを備える。第１の端子２、切替え回路３、ＦＥＴ７，８及び保護回路９は二次電池保護回路１５を構成する。なお、第１の端子２は所定の端子に対応し、ＦＥＴ７は第１のスイッチに対応する。
【００３３】
第１の端子２、第２の端子１０及び第３の端子１１は、それぞれ外部から電気的に接続可能な端子であり、電池パック１の筺体の外側の面に配置されている。第１の端子２は、切替え回路３の入力端に接続されている。第１の端子２には、切替え回路３の出力を“Ｌ”又は“Ｈ”に切替えるための制御信号が入力される。切替え回路３は、第１の端子２に第１の電圧値の電圧が加えられた場合、出力が“Ｌ”になり、第１の端子２に第２の電圧値の電圧が加えられた場合、出力が“Ｈ”になる。ここで、二次電池４の負極の電圧をＬｏｗレベル、正極の電圧をＨｉｇｈレベルとして、正論理で回路設計した場合、第１の電圧値はＬｏｗレベル、第２の電圧値はＨｉｇｈレベルとなる。これに対して、二次電池４の負極の電圧をＬｏｗレベル、正極の電圧をＨｉｇｈレベルとして、負論理で回路設計した場合、第１の電圧値はＨｉｇｈレベル、第２の電圧値はＬｏｗレベルとなる。
【００３４】
二次電池４は、正極端が第２の端子１０に接続され、負極端がＰＴＣサーミスタ６及びＦＥＴ７，８を介して第３の端子１１に接続される。二次電池４は、電池パック１を内蔵した電子機器（図示略）に対し、第２の端子１０と第３の端子１１を介して電源電圧の供給を行う。また、二次電池４は、電池パック１の切替え回路３及び保護回路９に対し、抵抗５を介して電源電圧を供給する。
【００３５】
保護回路９は、二次電池４に対する過放電保護設定及びそれの解除と、二次電池４に対する過充電保護設定及びその解除を行う。この場合、二次電池４に対する過放電保護設定及びそれの解除についてはＦＥＴ７を制御することで行い、二次電池４に対する過充電保護設定及びそれの解除についてはＦＥＴ８を制御することで行う。保護回路９は、検出端子において“Ｌ”を検出した場合、ＦＥＴ７をオフし（遮断し）、検出端子において“Ｈ”を検出した場合、ＦＥＴ７をオンする（導通させる）。ＦＥＴ７をオフすることで過放電保護状態に移行し、ＦＥＴ７をオンすることで過放電保護状態が解除される。特に、保護回路９は、切替え回路３の出力が不定になる場合でもＦＥＴ７をオフして過放電保護を行う。これに対して、過放電保護の解除においては、確実に解除するために、切替え回路３の出力が所定期間、“Ｈ”になった場合のみＦＥＴ７をオンする。即ち、二次電池４が過放電しないことを優先にするため、切替え回路３の出力が確実に“Ｌ”になっていなくてもＦＥＴ７をオフし、過放電保護を解除するときは、切替え回路３の出力が確実に“Ｈ”になっている場合のみ（切替え回路３の出力が不定になる場合を含まない）ＦＥＴ７をオンするようにしている。
【００３６】
なお、第１の端子２に、所定期間に第２の電圧値の電圧を加えてＦＥＴ７をオンさせるが、所定期間の後、第１の端子２に第３の電圧値の電圧を加えて、ＦＥＴ７のオン状態を継続させるようにしても良い。この場合、第３の電圧値は、第１の電圧値と同じであっても良いが、第２の電圧値より低く、切替え回路３の出力が不定になってしまうような値であっても構わない。即ち、第１の端子２に加える電圧の値によらず、ＦＥＴ７のオン状態を継続させる。但し、ＦＥＴ７を未来永劫オンさせ続けるのではなく、別の手段を利用して、所定時間後にオフにできるようにすることを排除するものではない。
【００３７】
保護回路９は、過充電を検出した場合、ＦＥＴ８をオフし、過充電を検出しない場合、ＦＥＴ８をオンする。
【００３８】
図２は、本実施の形態に係る電池パック１の出荷時の処理の概略を示すフローチャートである。同図において、工場出荷時に、第１の端子２に第１の電圧値の電圧を加えて、切替え回路３の出力を“Ｌ”にする（ステップＳ１）。切替え回路３の出力が“Ｌ”になると、保護回路９が検出端子において“Ｌ”を検出し（ステップＳ２）、ＦＥＴ７をオフする（ステップＳ３）。これにより、過放電保護状態に移行するとともに、保護回路９は低消費電力モードになる。過放電保護状態に移行することで、第２の端子１０と第３の端子１１からは二次電池４の電源電圧は得られなくなる。
【００３９】
図３は、本実施の形態に係る電池パック１の販売時の処理の概略を示すフローチャートである。同図において、販売時に、第１の端子２に第２の電圧値の電圧を加えて、切替え回路３の出力を“Ｈ”にする（ステップＳ１０）。切替え回路３の出力が“Ｈ”になると、保護回路９が検出端子において“Ｈ”を検出し（ステップＳ１１）、ＦＥＴ７をオンする（ステップＳ１２）。これにより、過放電保護状態が解除される。過放電保護状態を解除することで、第２の端子１０と第３の端子１１から二次電池４の電源電圧が得られるようになる。
【００４０】
本実施の形態に係る電池パック１を用いた電子機器を製造した場合、工場出荷時に第１の端子２に第１の電圧値の電圧を加えて過放電保護状態にする。そして、当該電子機器を販売するときに、第１の端子２に第２の電圧値の電圧を加えて過放電保護状態を解除する。これにより、当該電子機器を購入した顧客は、購入時から直ぐに当該電子機器を操作することができる。
【００４１】
このように本実施の形態に係る電池パック１は、二次電池４に直列に電気的に接続されたＦＥＴ７と、外部から電気的に接続可能な第１の端子２と、を備え、第１の端子２に、第１の電圧値の電圧が加えられた場合、二次電池４に直列に接続したＦＥＴ７をオフし、第１の端子２に、所定期間に第２の電圧値の電圧が加えられた場合、ＦＥＴ７をオンするので、意図的に過放電保護の設定及び過放電保護状態の解除を行うことができる。
また、電池としての機能が失われる深放電状態になることがないので、機器を開封して電池を交換しないと販売できなくなることがない。
【００４２】
なお、本実施の形態に係る電池パック１は、第１，第２，第３の端子２，１０，１１の３つの端子を有するものであったが、これらの端子２，１０，１１以外の端子が有っても良い。また、これらの端子２，１０，１１は、独立したものでも良いし、１つのコネクタ内にあるものでも良い。
【００４３】
また、本実施の形態に係る電池パック１は、第１のスイッチとして、ＮチャネルのＭＯＳＦＥＴ７を用いたが、これに限定されることはなく、バイポーラ型のトランジスタ等、スイッチ手段として使用できる素子であれば、どのようなものであっても良い。
【００４４】
（実施の形態２）
図４は、本発明の実施の形態２に係る電子機器の概略構成を示す図である。同図において、本実施の形態に係る電子機器２０は、前述した実施の形態１に係る電池パック１と、電子機器２０としての機能を行う本体機能部２１と、ＡＣアダプタ（外部電源）１００を接続可能な接続部２２と、接続部２２にＡＣアダプタ１００が接続された場合、電池パック１の第１の端子２に、所定期間、第２の電圧値の電圧を加える制御部２３と、ＡＣアダプタ１００から得られる電源電圧を電子機器２０で使用する電源電圧に変換し、電池パック１、本体機能部２１及び制御部２３に供給する電源部２４と、を備え、ＡＣアダプタ１００によって二次電池４の充電を行えるものである。
【００４５】
本実施の形態に係る電子機器２０では、ＡＣアダプタ１００の接続を制御部２３が検出し、制御部２３が電池パック１の第１の端子２に、所定期間、第２の電圧値の電圧を加える。なお、第２の電圧値の電圧は、前述したように、正論理で回路設計した場合、Ｈｉｇｈレベルになり、負論理で回路設計した場合は、Ｌｏｗレベルになる。ここでは、正論理で回路設計したとする。電池パック１の第１の端子２に第２の電圧値の電圧が加わると、切替え回路３の出力が“Ｈ”になる。切替え回路３の出力が、所定期間、“Ｈ”になると、保護回路９がＦＥＴ７をオンする。
【００４６】
電池パック１の第１の端子２に第２の電圧値の電圧が加わるまでは、切替え回路３の出力が“Ｌ”になっているので、この状態で、第１の端子２に第２の電圧値の電圧が加わることで切替え回路３の出力が“Ｈ”になり、その“Ｈ”の状態が所定期間継続すると、保護回路９がＦＥＴ７をオンする。これにより、二次電池４に対する過放電保護状態が解除され、第２の端子１０と第３の端子１１から二次電池４の電源電圧が得られるようになる。
【００４７】
図５は、本実施の形態に係る電子機器２０の過放電保護解除時の各部の動作を示すタイムチャートである。同図において、電子機器２０にＡＣアダプタ１００が接続されることで、電源部２４の出力が“Ｌ”から“Ｈ”になり（（ａ））、本体機能部２１及び制御部２３が起動し、また電池パック１に電源電圧が供給される。また、電子機器２０にＡＣアダプタ１００が接続されると、接続部２２からパルスが出力される（（ｂ））。接続部２２からパルスが出力されると、制御部２３が電池パック１の第１の端子２に第２の電圧値の電圧を加える。第１の端子２に、所定期間継続して第２の電圧値の電圧が加えられると、保護回路９の検出端子における信号レベルが“Ｈ”となり（（ｃ））、保護回路９のＦＥＴ７のゲートと接続される端子の出力が“Ｈ”になる（（ｄ））。これにより、ＦＥＴ７がオンする。
【００４８】
図６は、本実施の形態に係る電子機器２０の販売時の処理の概略を示すフローチャートである。同図において、販売時に、ＡＣアダプタ１００を接続して、切替え回路３の出力を“Ｈ”にする（ステップＳ２０）。切替え回路３の出力が“Ｈ”になると、保護回路９が検出端子において“Ｈ”を検出し（ステップＳ２１）、ＦＥＴ７をオンする（ステップＳ２２）。これにより、過放電保護状態が解除される。過放電保護状態を解除することで、第２の端子１０と第３の端子１１から二次電池４の電源電圧が得られるようになる。
【００４９】
このように本実施の形態に係る電子機器２０は、外部電源であるＡＣアダプタ１００を接続可能な接続部２２を有し、接続部２２にＡＣアダプタ１００が接続された場合、第１の端子２に、所定期間、第２の電圧値の電圧を加えるので、ＡＣアダプタ１００を電子機器２０に接続するという操作によって、過放電保護状態を解除することができる。
【００５０】
（実施の形態３）
図７は、本発明の実施の形態３に係る電子機器の概略構成を示す図である。なお、同図において、前述した実施の形態２に係る電子機器２０と共通する部分には、同一の符号を付けている。
【００５１】
本実施の形態に係る電子機器３０は、電池パック１と、電子機器３０としての機能を行う本体機能部２１と、磁界を検地してオンする電磁スイッチ３１と、電子機器３０が無接点充電台２００に載置されて、電磁スイッチ３１が無接点充電台２００のループコイル２０１が発生する磁界でオンすると、電池パック１の第１の端子２に、所定期間、第２の電圧値の電圧を加える制御部３２と、ループコイル３３１を有し、無接点充電台２００のループコイル２０１から送電された電力を受電し、電子機器３０で使用する電源電圧に変換して、電池パック１、本体機能部２１及び制御部３２に供給する電源部３３と、を備え、無接点充電台２００によって、二次電池４の充電を行えるものである。無接点充電台２００は、送電を制御する制御部２０２を有する。なお、電磁スイッチ３１は、第２のスイッチに対応する。
【００５２】
本実施の形態に係る電子機器３０では、販売時に、電子機器３０が無接点充電台２００に載置されると、無接点充電台２００のループコイル２０１が発生する磁界によって電磁スイッチ３１がオンし、制御部３２が電池パック１の第１の端子２に、所定期間、第２の電圧値の電圧を加える。なお、第２の電圧値の電圧は、前述したように、正論理で回路設計した場合、Ｈｉｇｈレベルになり、負論理で回路設計した場合は、Ｌｏｗレベルになる。正論理で回路設計したとして、電池パック１の第１の端子２に第２の電圧値の電圧が加わると、切替え回路３の出力が“Ｈ”になる。切替え回路３の出力が、所定期間、“Ｈ”になると、保護回路９がＦＥＴ７をオンする。
【００５３】
電池パック１の第１の端子２に第２の電圧値の電圧が加わるまでは、切替え回路３の出力が“Ｌ”になっているので、この状態で、第１の端子２に第２の電圧値の電圧が加わることで切替え回路３の出力が“Ｈ”になり、その“Ｈ”の状態が所定期間継続すると、保護回路９がＦＥＴ７をオンする。これにより、二次電池４に対する過放電保護状態が解除され、第２の端子１０と第３の端子１１から二次電池４の電源電圧が得られるようになる。
【００５４】
図８は、本実施の形態に係る電子機器３０の販売時の処理の概略を示すフローチャートである。同図において、販売時に、電子機器３０を無接点充電台２００に載置して、切替え回路３の出力を“Ｈ”にする（ステップＳ３０）。切替え回路３の出力が“Ｈ”になると、保護回路９が検出端子において“Ｈ”を検出し（ステップＳ３１）、ＦＥＴ７をオンする（ステップＳ３２）。これにより、過放電保護状態が解除される。過放電保護状態を解除することで、第２の端子１０と第３の端子１１から二次電池４の電源電圧が得られるようになる。
【００５５】
このように本実施の形態に係る電子機器３０は、磁界を検地してオンする電磁スイッチ３１を有し、電子機器３０が無接点充電台２００に載置された場合、第１の端子２に、所定期間、第２の電圧値の電圧を加えるので、電子機器３０を無接点充電台２００に載置するという操作によって、過放電保護状態を解除することができる。
【００５６】
（実施の形態４）
図９は、本発明の実施の形態４に係る電子機器の概略構成を示す図である。なお、同図において、前述した実施の形態２に係る電子機器２０と共通する部分には、同一の符号を付けている。
【００５７】
本実施の形態に係る電子機器４０は、前述した実施の形態１に係る電池パック１と、電子機器４０としての機能を行う本体機能部２１と、ＡＣアダプタ（外部電源）１００を接続可能な接続部４１と、メカスイッチ４２と、メカスイッチ４２をオン側に投入する操作が行われた場合、電池パック１の第１の端子２に、所定期間、第２の電圧値の電圧を加える制御部４３と、ＡＣアダプタ１００から得られる電源電圧を電子機器４０で使用する電源電圧に変換し、電池パック１、本体機能部２１及び制御部４３に供給する電源部２４と、を備え、ＡＣアダプタ１００によって、二次電池４の充電を行えるものである。なお、メカスイッチ４２は、第２のスイッチに対応する。
【００５８】
本実施の形態に係る電子機器４０では、メカスイッチ４２をオン側に投入する操作が行われることで、制御部４３が電池パック１の第１の端子２に、所定期間、第２の電圧値の電圧を加える。なお、第２の電圧値の電圧は、前述したように、正論理で回路設計した場合、Ｈｉｇｈレベルになり、負論理で回路設計した場合は、Ｌｏｗレベルになる。ここでは、正論理で回路設計したとする。電池パック１の第１の端子２に第２の電圧値の電圧が加わると、切替え回路３の出力が“Ｈ”になる。切替え回路３の出力が、所定期間、“Ｈ”になると、保護回路９がＦＥＴ７をオンする。
【００５９】
また、メカスイッチ４２をオフ側に投入する操作が行われた場合、制御部４３が電池パック１の第１の端子２に第１の電圧値の電圧を加える。電池パック１の第１の端子２に第１の電圧値の電圧が加わると、切替え回路３の出力が“Ｌ”になる。切替え回路３の出力が“Ｌ”になると、保護回路９がＦＥＴ７をオフする。
【００６０】
電池パック１の第１の端子２に第２の電圧値の電圧が加わるまでは、切替え回路３の出力が“Ｌ”になっているので、この状態で、第１の端子２に第２の電圧値の電圧が加わることで切替え回路３の出力が“Ｈ”になり、その“Ｈ”の状態が所定期間継続すると、保護回路９がＦＥＴ７をオンする。これにより、二次電池４に対する過放電保護状態が解除され、第２の端子１０と第３の端子１１から二次電池４の電源電圧が得られるようになる。
【００６１】
図１０は、本実施の形態に係る電子機器４０の販売時の処理の概略を示すフローチャートである。同図において、販売時に、メカスイッチ４２をオン側に投入する操作を行うことで、切替え回路３の出力を“Ｈ”にする（ステップＳ４０）。切替え回路３の出力が“Ｈ”になると、保護回路９が検出端子において“Ｈ”を検出し（ステップＳ４１）、ＦＥＴ７をオンする（ステップＳ４２）。これにより、過放電保護状態が解除される。過放電保護状態を解除することで、第２の端子１０と第３の端子１１から二次電池４の電源電圧が得られるようになる。
【００６２】
このように本実施の形態に係る電子機器４０は、メカスイッチ４２を有し、メカスイッチ４２をオン側に投入する操作が行われた場合、第１の端子２に、所定期間、第２の電圧値の電圧を加えるので、メカスイッチ４２をオン側に投入する操作によって、過放電保護状態を解除することができる。
【００６３】
なお、本実施の形態に係る電子機器４０を、前述した実施の形態２に係る電子機器２０と組み合わせることも勿論可能である。
【産業上の利用可能性】
【００６４】
本発明は、意図的に過放電保護の設定及び過放電保護状態の解除を行うことができるといった効果を有し、二次電池保護回路や、二次電池保護回路を有する電池パック及び電子機器等への適用が可能である。
【符号の説明】
【００６５】
１  電池パック
２  第１の端子
３  切替え回路
４  二次電池
５  抵抗
６  ＰＴＣサーミスタ
７，８  ＭＯＳＦＥＴ
９  保護回路
１０  第２の端子
１１  第３の端子
１５  二次電池保護回路
２０  電子機器
２１  本体機能部
２２  接続部
２３  制御部
２４  電源部
３０  電子機器
３１  電磁スイッチ
３２  制御部
３３  電源部
４０  電子機器
４１  接続部
４２  メカスイッチ
４３  制御部
１００  ＡＣアダプタ
２００  無接点充電台
２０１  ループコイル
２０２  制御部
３３１  ループコイル
【図１】
2013247741.tif 000003
【図２】
2013247741.tif 000004
【図３】
2013247741.tif 000005
【図４】
2013247741.tif 000006
【図５】
2013247741.tif 000007
【図６】
2013247741.tif 000008
【図７】
2013247741.tif 000009
【図８】
2013247741.tif 000010
【図９】
2013247741.tif 000011
【図１０】
2013247741.tif 000012